(57)【要約】【課題】携帯電話モードあるいはトランシーバモードであること及び他のモードが受信されたことを視認あるいは体感することができること。【解決手段】トランシーバモード及び携帯電話モードを備えた携帯電話機において、前記携帯電話機の筐体に着脱自在なＰＣカード２１を設けると共に、このＰＣカード２１に表示体２２を設け、トランシーバモードと携帯電話モードとで表示体２２をそれぞれ異なった色で点灯させる制御部４２とを具備している。【選択図】          図３
2004172873.tif 000002
【特許請求の範囲】
【請求項１】
トランシーバモード及び携帯電話モードを備えた携帯電話機において、
前記携帯電話機の筐体に着脱自在なカード部を設けると共に、
このカード部に表示体を設け、
前記トランシーバモードと前記携帯電話モードとで前記表示体をそれぞれ異なった色で点灯させる制御手段とを具備したことを特徴とするトランシーバ機能付き携帯電話機。
【請求項２】
トランシーバモード及び携帯電話モードを備えた携帯電話機において、
前記携帯電話機の筐体に着脱自在なカード部を設けると共に、
このカード部に表示体を設け、
前記トランシーバモードと前記携帯電話モードとで前記表示体をそれぞれ異なった周期で点滅させる制御手段とを具備したことを特徴とするトランシーバ機能付き携帯電話機。
【請求項３】
トランシーバモード及び携帯電話モードを備えた携帯電話機において、
前記携帯電話機の筐体に着脱自在なカード部を設けると共に、
このカード部にスピーカを設け、
前記トランシーバモードと前記携帯電話モードとで前記スピーカをそれぞれ異なった可聴周期数で発音させる制御手段とを具備したことを特徴とするトランシーバ機能付き携帯電話機。
【請求項４】
トランシーバモード及び携帯電話モードを備えた携帯電話機において、
前記携帯電話機の筐体に着脱自在なカード部を設けると共に、
このカード部にスピーカを設け、
前記トランシーバモードと前記携帯電話モードとで前記スピーカをそれぞれ異なった周期で発音させる制御手段とを具備したことを特徴とするトランシーバ機能付き携帯電話機。
【請求項５】
トランシーバモード及び携帯電話モードを備えた携帯電話機において、
前記携帯電話機の筐体に着脱自在なカード部を設けると共に、
このカード部に振動体を設け、
前記トランシーバモードと前記携帯電話モードとで前記スピーカをそれぞれ異なった周波数で振動させる制御手段とを具備したことを特徴とするトランシーバ機能付き携帯電話機。
【請求項６】
トランシーバモード及び携帯電話モードを備えた携帯電話機において、
前記携帯電話機の筐体に着脱自在なカード部を設けると共に、
このカード部に振動体を設け、
前記トランシーバモードと前記携帯電話モードとで前記スピーカをそれぞれ異なった周波数で振動させる制御手段とを具備したことを特徴とするトランシーバ機能付き携帯電話機。
【請求項７】
前記カード部はさらに受信部を備えると共に、前記制御手段はカード部に設けられ、
前記カード部が携帯電話機の筐体から取り外されたときには、前記携帯電話機側から送信されるトランシーバモードあるいは携帯電話モードの種別を受信して被制御対象物を制御することを特徴とする請求項１〜６いずれか一記載のトランシーバ機能付き携帯電話機。
【発明の詳細な説明】
【０００１】
【発明の属する技術分野】
本発明はトランシーバ機能付き携帯電話機に関する。
【０００２】
【従来の技術】
近年、携帯電話機が驚異的な速さで普及されてきている。それに伴い携帯電話機の過当競争も一段と激しくなってきている。各携帯電話機メーカは様々な負荷価値を付けることにより、消費者の購買意欲を高めるように努めている。その一つとして、トランシーバ機能を備えた携帯電話機が知られている（特許文献１〜３）。
【０００３】
【特許文献１】
特開平１１−８８９５９
【０００４】
【特許文献２】
特開２０００−３２４５４１
【０００５】
【特許文献３】
特開２００２−１１２３１２
【０００６】
【発明が解決しようとする課題】
しかしながら、いずれの公報に開示された発明も、トランシーバモードと携帯電話モードのどちらが動作しているかを視認あるいは体感することはできなかった。
【０００７】
このため、携帯電話機が携帯電話モードが動作しているときに、他のトランシーバにより呼び出しされたときには、そのことを視認あるいは体感することはできなかった。
【０００８】
また逆に、携帯電話機がトランシーバモードで動作しているときに、他の携帯電話機により呼び出されたときには、そのことを視認あるいは体感することはできなかった。
【０００９】
本発明は、上記の点に鑑みてなされたもので、その目的は、携帯電話モードあるいはトランシーバモードであること及び他のモードが受信されたことを視認あるいは体感することができるトランシーバ機能付き携帯電話機を提供することにある。
【００１０】
【課題を解決するための手段】
請求項１記載の発明は、トランシーバモード及び携帯電話モードを備えた携帯電話機において、前記携帯電話機の筐体に着脱自在なカード部を設けると共に、このカード部に表示体を設け、前記トランシーバモードと前記携帯電話モードとで前記表示体をそれぞれ異なった色で点灯させる制御手段とを具備したことを特徴とする。
【００１１】
請求項２記載の発明は、トランシーバモード及び携帯電話モードを備えた携帯電話機において、前記携帯電話機の筐体に着脱自在なカード部を設けると共に、このカード部に表示体を設け、前記トランシーバモードと前記携帯電話モードとで前記表示体をそれぞれ異なった周期で点滅させる制御手段とを具備したことを特徴とする。
【００１２】
請求項３記載の発明は、トランシーバモード及び携帯電話モードを備えた携帯電話機において、前記携帯電話機の筐体に着脱自在なカード部を設けると共に、このカード部にスピーカを設け、前記トランシーバモードと前記携帯電話モードとで前記スピーカをそれぞれ異なった可聴周期数で発音させる制御手段とを具備したことを特徴とする。
【００１３】
請求項４記載の発明は、トランシーバモード及び携帯電話モードを備えた携帯電話機において、前記携帯電話機の筐体に着脱自在なカード部を設けると共に、このカード部にスピーカを設け、前記トランシーバモードと前記携帯電話モードとで前記スピーカをそれぞれ異なった周期で発音させる制御手段とを具備したことを特徴とする。
【００１４】
請求項５記載の発明は、トランシーバモード及び携帯電話モードを備えた携帯電話機において、前記携帯電話機の筐体に着脱自在なカード部を設けると共に、このカード部に振動体を設け、前記トランシーバモードと前記携帯電話モードとで前記スピーカをそれぞれ異なった周波数で振動させる制御手段とを具備したことを特徴とする。
【００１５】
請求項６記載の発明は、トランシーバモード及び携帯電話モードを備えた携帯電話機において、前記携帯電話機の筐体に着脱自在なカード部を設けると共に、このカード部に振動体を設け、前記トランシーバモードと前記携帯電話モードとで前記スピーカをそれぞれ異なった周波数で振動させる制御手段とを具備したことを特徴とする。
【００１６】
請求項７記載の発明は、請求項１〜６前記カード部はさらに受信部を備えると共に、前記制御手段はカード部に設けられ、前記カード部が携帯電話機の筐体から取り外されたときには、前記携帯電話機側から送信されるトランシーバモードあるいは携帯電話モードの種別を受信して被制御対象物を制御することを特徴とする。
【００１７】
【発明の実施の形態】
以下図面を参照して本発明の一実施の形態について説明する。図１はトランシーバ機能付き携帯電話機の斜視図である。図１において、１０はトランシーバ機能付き携帯電話機の筐体である。この筐体１０の頭部には伸縮自在なアンテナ１１が取り付けられている。この筐体１０の上面には、表示部１２、通話ボタン１３、電源スイッチ１４、キー入力部１５が設けられている。
【００１８】
さらに、表示部１２の上側にはスピーカ１６、キー入力部１５の下側にはマイクロフォン１７、キー入力部１５の右上側にはＰＨＳモードとトランシーバモードとを切り替えるモード設定スイッチ１８が設けられてる。なお、本携帯電話機はデフォルトでＰＨＳモードに設定されている。
【００１９】
また、筐体１０の側面には、図２に示すＰＣカード２１を着脱自在に装着する収納部１９が設けられている。図１では、ＰＣカード２１が収納部１９に装着されている状態を示している。ＰＣカード２１が収納部１９に収納されている状態で、例えばＥＬやＬＥＤにより構成される表示体２２が外側に表れるように設けられている。この表示体２２は駆動方法を変化させることにより異なった色に発色させることができる。
【００２０】
次に、図３を参照してトランシーバ機能付き携帯電話機のシステム構成について説明する。図３において、破線１０は筐体１０内、破線２１はＰＣカード２１内の構成を示す。
【００２１】
筐体１０内にはマイクロプロセッサよりなる制御部３１が設けられている。この制御部３１には、前述した表示部１２、キー入力部１５、スピーカ１６、マイク１７、モード設定スイッチ１８が接続される。
【００２２】
さらに、制御部３１にはＰＨＳ番号やトランシーバ番号の他各種情報を記憶するメモリ３２、アンテナ１１がＲＦ部３３を介して、スロット接続端子３４がそれぞれ接続されている。
【００２３】
この制御部３１には、ＰＨＳ回線を介して通信を行なうＰＨＳモード機能部３１ａ、ＰＨＳ回線を用いる汎用のプロトコルとは異なるプロトコルによりＰＨＳ回線を介さずに通信を行うトランシーバモード機能部３１ｂ、アンテナ１１及びＲＦ部１９を介して着信があると、着信情報のヘッダに含まれる情報を検出し、ＰＨＳ回線によるＰＨＳモードかトランシーバモードかを検出する着信検出部３１ｃが備えられている。
【００２４】
スロット接続端子３４には、ＰＣカード２１のＰＣカードスロット部４１が着脱自在に装着されている。
【００２５】
ＰＣカードスロット部４１にはＰＣカード２１を統括して制御するカード制御部４２が接続されている。このカード制御部４２は例えばマイクロプロセッサにより構成されている。
【００２６】
カード制御部４２には、被制御対象物として前述した表示体２２、スピーカ４３、振動体としての振動モータ４４が接続されている。
【００２７】
このカード制御部４２には、ＰＣカード２１が筐体１０から取り外されたときに、筐体１０から通信される各種データを受信する受信部４２ａ、ＰＨＳモードあるいはトランシーバモードとで異なった周波数あるいは周期を有する信号を発生する周波数信号発生部４２ｂ、図４〜図９の処理を行なうプログラム及び各種プログラムが記憶されているＲＯＭ４２ｃが設けられている。
【００２８】
次に、上記のように構成された本発明の一実施の形態の動作について説明する。まず、ＰＣカード２１が図１に示すように収納部１９に収納されている場合について説明する。
【００２９】
本携帯電話機はデフォルトでＰＨＳモードに設定されているため、ＰＨＳモード機能部３１ａが作動される。そして、メモリ３２に記憶されているＰＨＳ番号を表示部１２に表示させた後、通話ボタン１３が押し下げることにより通話可能とされる。
【００３０】
また、ＰＨＳモードである情報は、スロット接続端子３４及びＰＣカードスロット部４１を介してカード制御部４２に送信される。
【００３１】
カード制御部４２では、図４のフローチャートに示す処理を行なっている。
【００３２】
つまり、現在のモードがＰＨＳモードであれば、表示体２２が青色で点灯される。
【００３３】
このようにＰＨＳモード状態において、外部のトランシーバから着信があった場合には、その信号はアンテナ１１、ＲＦ部３３を介して着信検出部３１ｃに入力されて、その信号がトランシーバから発せられた信号であることが検出される。
【００３４】
そして、トランシーバであることを示す信号はスロット接続端子３４及びＰＣカードスロット部４１を介してカード制御部４２に送信される。
【００３５】
カード制御部４２では、図４のフローチャートに示す処理が行なわれるため、表示体２２が赤色で点灯される。
【００３６】
つまり、携帯電話機でＰＨＳモードで通話中には表示体２２を青色で点灯しておき、外部からトランシーバ信号を受信した場合には表示体２２を赤色で点灯するようにしたので、トランシーバ信号の受信を視認することができる。
【００３７】
以下、モード設定スイッチ１８を操作してトランシーバモードに切り替えれば、相手のトランシーバと通話可能とされる。
【００３８】
次に、本発明の第２の実施の形態について図５のフローチャートを参照して説明する。この第２の実施の形態では、ＰＨＳモード時には、表示体２２を長い周期で青色で点滅させ、トランシーバ信号を受信した場合には、表示体２２を短い周期で赤色で点滅させている。
【００３９】
この第２の実施の形態によれば、ＰＨＳモードとトランシーバモードとを表示体２２の点滅周期で区別するようにしたので、両モードを視認することができる。
【００４０】
なお、この第２の実施の形態で、ＰＨＳモード時には、表示体２２を長い周期で青色で点滅させ、トランシーバ信号を受信した場合には、表示体２２を短い周期で赤色で点滅させるようにしたが、表示体２２の色を同じ色で発色させ、点滅周期だけを異ならせるようにしても良い。
【００４１】
次に、本発明の第３の実施の形態について図６のフローチャートを参照して説明する。この第３の実施の形態では、ＰＨＳモード時には、スピーカ４３を低い可聴周波数で発音させ、トランシーバ信号を受信した場合には、スピーカ４３を高い可聴周期で発音させている。
【００４２】
この第３の実施の形態によれば、ＰＨＳモードとトランシーバモードとをスピーカ４３から発音される可聴周波数の高低で区別するようにしたので、両モードを確実に耳で確認することができる。
【００４３】
次に、本発明の第４の実施の形態について図７のフローチャートを参照して説明する。この第４の実施の形態では、ＰＨＳモード時には、スピーカ４３を長い周期の可聴周波数で発音させ、トランシーバ信号を受信した場合には、スピーカ４３を短い周期の可聴周期で発音させている。
【００４４】
この第４の実施の形態によれば、ＰＨＳモードとトランシーバモードとをスピーカ４３から発音される可聴周波数の周期の長短で区別するようにしたので、両モードを確実に耳で確認することができる。
【００４５】
次に、本発明の第５の実施の形態について図８のフローチャートを参照して説明する。この第５の実施の形態では、ＰＨＳモード時には、振動モータ４４
を低い周波数で振動させ、トランシーバ信号を受信した場合には、振動モータ４４を高い周波数で振動させている。
【００４６】
この第５の実施の形態によれば、ＰＨＳモードとトランシーバモードとを振動モータ４４の振動の周波数の高低で区別するようにしたので、両モードを確実に体感することができる。
【００４７】
次に、本発明の第６の実施の形態について図９のフローチャートを参照して説明する。この第６の実施の形態では、ＰＨＳモード時には、振動モータ４４
を長い周期で振動させ、トランシーバ信号を受信した場合には、振動モータ４４を短い周波数で振動させている。
【００４８】
この第６の実施の形態によれば、ＰＨＳモードとトランシーバモードとを振動モータ４４の振動の周期の長短で区別するようにしたので、両モードを確実に体感することができる。
【００４９】
なお、上記したいずれの実施の形態においては、ＰＣカード２１が収納部１９に装着されている状態において、携帯電話機を使用した場合について説明したが、ＰＣカード２１を収容部１９から取り外して使用した場合にも各実施の形態と同様な効果を奏する。
【００５０】
ＰＣカード２１を収容部１９から取り外した場合には、筐体１０側からＰＨＳモードかトランシーバモードであるかの信号は無線によりＰＣカード２１に送られる。そして、その信号はＰＣカード２１の受信部４２ａで受信される。
【００５１】
以下の動作は図４〜図９のフローチャートを参照して説明したものと同じでる。
【００５２】
このようにＰＣカード２１を筐体１０から取り外すことにより、ＰＣカード２１を携帯電話機を使用する者のポケットに入れておくこともできるし、携帯電話機を使用する者の身近に置いておくこともできる。
【００５３】
このように携帯電話機を使用する者のポケットに入れておくことにより、振動モータ４４の振動周波数や振動周期を異ならせることにより、ＰＨＳモードかトランシーバモードであるかを体感することができる。
【００５４】
また、携帯電話機を使用する者の身近に置いておくことにより、携帯電話機を何処に置いておくかに拘わらず、ＰＨＳモードかトランシーバモードを確認し易い場所に載置しておくことができる。
【００５５】
なお、上記した実施の形態では、各実施の形態はそれぞれ独立して動作するように説明したが、複数の実施の形態を適宜複数組み合わせて動作させるようにしても良い。例えば、表示体２２、スピーカ４３と振動モータ４４の動作を組み合わせるようにしても良い。
【００５６】
さらに、上記した実施の形態では、ＰＨＳ回線を用いる携帯電話機について説明したが、トランシーバモードを搭載している携帯電話機であれば、他の規格の携帯電話機であっても良い。
【００５７】
さらに、上記した実施の形態ではモード設定スイッチ１８を設けたが、特に設けなくても良い。この場合には、デフォルトでＰＨＳモードに設定しておき、キー入力部１５の操作によりトランシーバモードを設定するかあるいはＰＨＳモード時にトランシーバを受信した時には自動的にトランシーバモードに切り替えるようにしても良い。また、その逆に、トランシーバモードで他のＰＨ  Ｓからの信号を受信した場合には、自動的にＰＨＳモードに切り替えるようにしても良い。
【００５８】
さらに、１つの表示体２２で赤と青の２つの色を発色させるようにしたが、他の色であっても良いことは勿論である。
【００５９】
さらに、１つの表示体２２で２つの色を発色させるようにしたが、２つの異なった色を発色するランプを用いても良い。
【００６０】
【発明の効果】
以上詳述したように本発明によれば、携帯電話モードあるいはトランシーバモードであること及び他のモードが受信されたことを視認あるいは体感することができるトランシーバ機能付き携帯電話機を提供することができる。
【図面の簡単な説明】
【図１】本発明の一実施の形態に係るトランシーバ機能付き携帯電話機の斜視図。
【図２】同実施の形態に係るＰＣカードの斜視図。
【図３】同実施の形態に係るトランシーバ機能付き携帯電話機のシステム構成を示すブロック図。
【図４】同実施の形態の動作を説明するためのフローチャート。
【図５】本発明の第２の実施の形態の動作を説明するためのフローチャート。
【図６】本発明の第３の実施の形態の動作を説明するためのフローチャート。
【図７】本発明の第４の実施の形態の動作を説明するためのフローチャート。
【図８】本発明の第５の実施の形態の動作を説明するためのフローチャート。
【図９】本発明の第６の実施の形態の動作を説明するためのフローチャート。
【符号の説明】
１０…筐体、
１９…収納部、
２１…ＰＣカード、
２２…表示体、
３１…制御部、
４３…スピーカ、
４４…振動体
【図１】
2004172873.tif 000003
【図２】
2004172873.tif 000004
【図３】
2004172873.tif 000005
【図４】
2004172873.tif 000006
【図５】
2004172873.tif 000007
【図６】
2004172873.tif 000008
【図７】
2004172873.tif 000009
【図８】
2004172873.tif 000010
【図９】
2004172873.tif 000011